(57)【要約】【課題】  ヘッダーユニットを設置する際にレイアウトの制約を受けず、施工に手間がかからず、かつコストが高くならなず、さらに品質が施工技量に影響されないことを可能とする。【解決手段】  本発明では、湯水が流入する主管からの湯水を湯または水使用器具へ接続される分岐管に分岐する給水ヘッダーおよび給湯ヘッダーと、一端は前記分岐管に連なり他端は前記ヘッダーに連なる開閉弁と、前記主管と前記分岐管と前記ヘッダーと前記開閉弁とを室内や屋外と仕切るカバーと、前記カバーの室内や屋外側より前記開閉弁を操作する開閉弁操作部とを有し、前記ヘッダーが壁や床、天井裏の隠蔽部に配置されるヘッダーユニットにおいて、給水ヘッダーおよび給湯ヘッダーが、上下に位置をずらして配置したことを特徴とするヘッダーユニットとした。【選択図】  図８
2005098089.tif 000002
【特許請求の範囲】
【請求項１】
水が流入する主管からの水を水使用器具へ接続される分岐管に分岐するヘッダーと、
前記主管と前記分岐管と前記ヘッダーとを室内や屋外と仕切るカバーとを有し、
前記ヘッダーが壁、床や天井裏の隠蔽部に配置されるヘッダーユニットにおいて、
ヘッダーと少なくとも１つの水使用末端器具が直接接続されることを特徴とするヘッダーユニット。
【請求項２】
湯水が流入する主管からの湯水を湯または水使用器具へ接続される分岐管に分岐する給水ヘッダー及び給湯ヘッダーと、
一端は前記分岐管に連なり他端は前記ヘッダーに連なる開閉弁と、
前記主管と前記分岐管と前記給水ヘッダー及び給湯ヘッダーと前記開閉弁とを室内や屋外と仕切るカバーと、
前記カバーの室内や屋外側より前記開閉弁を操作する開閉弁操作部とを有し、
前記ヘッダーが壁や床、天井裏の隠蔽部に配置されるヘッダーユニットにおいて、
給水ヘッダー及び給湯ヘッダーが、上下に位置をずらして配置したことを特徴とするヘッダーユニット。
【請求項３】
前記カバーが給水ヘッダーと給湯ヘッダーに連なる開閉弁を操作する開閉弁操作部の位置に応じて凹凸を有することを特徴とする請求項２に記載のヘッダーユニット。
【請求項４】
湯水が流入する主管からの湯水を湯または水使用器具へ接続される分岐管に分岐する給水ヘッダー及び／又は給湯ヘッダーと、
一端は前記分岐管に連なり他端は前記ヘッダーに連なる開閉弁と、
前記主管と前記分岐管と前記給水ヘッダー及び／又は給湯ヘッダーと前記開閉弁とを室内や屋外と仕切るカバーと、
前記カバーの室内や屋外側より前記開閉弁を操作する開閉弁操作部とを有し、
前記給水ヘッダー及び／又は給湯ヘッダーが壁や床、天井裏の隠蔽部に配置されるヘッダーユニットにおいて、
一端が前記開閉弁に接続され、流入した湯または水を分岐して複数の前記分岐管に接続する管分岐具を有することを特徴とするヘッダーユニット。
【請求項５】
湯水が流入する主管からの湯水を湯または水使用器具へ接続される分岐管に分岐する給水ヘッダー及び／又は給湯ヘッダーと、
前記主管と前記分岐管と前記給水ヘッダー及び／又は給湯ヘッダーとを室内や屋外と仕切るカバーとを有し、
前記給水ヘッダー及び／又は給湯ヘッダーが壁や床、天井裏の隠蔽部に配置されるヘッダーユニットにおいて、
前記給水ヘッダー及び／又は給湯ヘッダーと前記分岐管とを接続する分岐接続部が前記給水ヘッダー及び／又は給湯ヘッダーの隠蔽部奥に向かって複数段に配置されたこと
を特徴とするヘッダーユニット。
【請求項６】
前記分岐接続部が前記給水ヘッダー及び／又は給湯ヘッダーの隠蔽部奥に向かって千鳥状に配置されたことを特徴とする請求項５に記載のヘッダーユニット。
【発明の詳細な説明】
【技術分野】
【０００１】
本発明は、供給される湯水を建築物内で分岐するヘッダーに関する発明である。 
【背景技術】
【０００２】
従来の建物内に供給された湯水を分岐する方法としては、配管を湯水混合水栓、単水栓や食器洗浄機等の湯水使用末端器具近傍で各々分岐し配管する、いわゆる先分岐配管方式と、可撓性のある樹脂管を使用し、各湯水使用器具につながる多くの分岐配管を、ヘッダーといわれる部材を使用して一箇所で分岐するいわゆるヘッダー分岐配管方式というものがある。
このヘッダー分岐配管方式は、ヘッダーと各湯水使用末端器具との間の分岐配管途中に分岐部がないため、湯水使用末端器具部とヘッダー部に点検口を有していれば、専門の業者による定期的な点検や、配管の老朽化時の更新が可能であるという利点を有している。
【０００３】
また最近では、隠蔽部に設置されたヘッダーの分岐配管接続部に開閉弁を設け、カバーを介して操作部を有しているものがある。
これは専門業者でない者、例えば住宅の居住者が、使用しない夜間や外出時には弁を閉じ、下流配管や器具への負荷を低減できるというものである。（例えば、非特許文献１参照。）
この場合、居住者が操作時に判りやすいように湯水の操作部を横一列に配置し、夫々どの湯水使用器具への配管用開閉弁であるかを表示する名称表示部を有しており、大変わかりやすくなっている。
しかしながら横一列になっているため、設置のための開口部が横に長く、幅の狭い壁部には設置できない。また幅の広い壁であっても他の物、例えば洗面台や収納棚等を設置する際の邪魔になり、レイアウトに大きな制約を生じるという問題があった。
【０００４】
また、湯水を分岐するヘッダーは、住宅では洗濯機を設置する脱衣所や、トイレ等の水使用器具近傍に設置されることが多く、さらに、湯水使用器具を使用する場所は一箇所に集められている。これは以下のような理由による。
まず、給水給湯配管を最短にすることで、コストを低減することができる。
また、長時間使用しなかった後の使用時に湯温上昇するまでの時間、いわゆる湯待ち時間を短くすることができる。
【０００５】
さらに、湯水使用器具を使用する場所を一箇所に集める理由には、湯水を使用する場所には必ず排水設備が必要である点もある。
排水の横配管は排水勾配が必要で、特に集合住宅では、各戸に排水縦管を備えたパイプシャフトを設け、各排水口から排水縦管まで、排水勾配を確保したうえで、横管を配管する必要がある。
ところが、居住空間を極力大きく確保するためには、床下空間を小さくすることが必要である。そのため前述の床下空間で勾配を確保するには、排水縦管を備えたパイプシャフトの周囲に湯水使用器具を集中させるほうが有利となる。
【０００６】
また、給水給湯配管を短くするためには、湯水を分岐するヘッダーも湯水使用器具近傍に設けた方が良い。この場合、ヘッダー近傍に湯水使用器具を有しているにもかかわらず樹脂管を使用して接続するため、以下の課題を有している。
すなわち、樹脂管には屈曲防止のため最小曲げ半径に制限があり、ヘッダーと湯水使用器具が特に近傍に設置された場合、最小曲げ半径を確保するため遠回りの配管をしなければならず、給水給湯配管を短くすることができず、コストが高くなるという問題があった。
また、樹脂管を使用して接続するので、樹脂管と両端に接続する継手（二カ所）、継手とヘッダー、継手と湯水使用器具という最低四カ所の接続が必要になり、接続箇所数が増えることに伴って漏水の危険も大きくなるという問題があった。  
さらに、ヘッダーと湯水使用器具を別々に建築躯体に施工する必要があるため、ヘッダーを湯水使用器具近傍に設けても、施工に手間がかかるという問題は解決できなかった。
【非特許文献１】「ＴＯＴＯ配管王カタログ」、東陶機器株式会社発行、２００３年５月、第１０頁
【発明の開示】
【発明が解決しようとする課題】
【０００７】
以上述べたように、ヘッダーの分岐配管接続部に開閉弁を設け、住宅の居住者が操作できるヘッダー分岐配管方式において、ヘッダーを湯水使用器具近傍に設置し樹脂製の給湯給水配管を最短にして、漏水の危険のないヘッダーユニットを提供するには、以下の課題があった。
従来のヘッダーでは横に長く、幅の狭い壁部には設置できなかったり、また幅の広い壁であっても他の物、例えば洗面台や収納棚等を設置する際の邪魔になり、レイアウトに大きな制約を生じるという問題があった。
また、樹脂管には最小曲げ半径に制限があり、コストが高くなるという問題や、樹脂管を使用して接続するので、接続箇所数が増えることに伴って漏水の危険も大きくなるという問題があった。
また、ヘッダーと湯水使用器具を別々に建築躯体に施工する必要があるため、施工に手間がかかるという問題があった。
そこで、本発明では上記のような問題点を解決するため、レイアウトの制約を受けず、施工に手間がかからず、コストが高くならず、品質が施工技量に影響されないものを提供することを目的とする。
【課題を解決するための手段】
【０００８】
上記目的を達成するために、本発明の請求項１では、水が流入する主管からの水を水使用器具へ接続される分岐管に分岐するヘッダーと、前記主管と前記分岐管と前記ヘッダーとを室内や屋外と仕切るカバーとを有し、前記ヘッダーが壁、床や天井裏の隠蔽部に配置されるヘッダーユニットにおいて、ヘッダーと少なくとも１つの水使用末端器具が直接接続されることを特徴とするヘッダーユニットとした。
【０００９】
また、本発明の請求項２では、湯水が流入する主管からの湯水を湯または水使用器具へ接続される分岐管に分岐する給水ヘッダー及び給湯ヘッダーと、一端は前記分岐管に連なり他端は前記ヘッダーに連なる開閉弁と、前記主管と前記分岐管と前記給水ヘッダー及び給湯ヘッダーと前記開閉弁とを室内や屋外と仕切るカバーと、前記カバーの室内や屋外側より前記開閉弁を操作する開閉弁操作部とを有し、前記ヘッダーが壁や床、天井裏の隠蔽部に配置されるヘッダーユニットにおいて、給水ヘッダー及び給湯ヘッダーが、上下に位置をずらして配置したことを特徴とするヘッダーユニットとした。
なお、ここで言う上下方向は、図８乃至図９の上下方向を指すものである。
【００１０】
また、本発明の請求項３では、請求項２のカバーが給水ヘッダーと給湯ヘッダーに連なる開閉弁を操作する開閉弁操作部の位置に応じて凹凸を有することを特徴とするヘッダーユニットとした。
【００１１】
本発明の請求項４では、湯水が流入する主管からの湯水を湯または水使用器具へ接続される分岐管に分岐する給水ヘッダー及び／又は給湯ヘッダーと、一端は前記分岐管に連なり他端は前記ヘッダーに連なる開閉弁と、前記主管と前記分岐管と前記給水ヘッダー及び／又は給湯ヘッダーと前記開閉弁とを室内や屋外と仕切るカバーと、前記カバーの室内や屋外側より前記開閉弁を操作する開閉弁操作部とを有し、前記給水ヘッダー及び／又は給湯ヘッダーが壁や床、天井裏の隠蔽部に配置されるヘッダーユニットにおいて、一端が前記開閉弁に接続され、流入した湯または水を分岐して複数の前記分岐管に接続する管分岐具を有することを特徴とするヘッダーユニットとした。
【００１２】
本発明の請求項５では、湯水が流入する主管からの湯水を湯または水使用器具へ接続される分岐管に分岐する給水ヘッダー及び／又は給湯ヘッダーと、前記主管と前記分岐管と前記給水ヘッダー及び／又は給湯ヘッダーとを室内や屋外と仕切るカバーとを有し、前記給水ヘッダー及び／又は給湯ヘッダーが壁や床、天井裏の隠蔽部に配置されるヘッダーユニットにおいて、前記給水ヘッダー及び／又は給湯ヘッダーと前記分岐管とを接続する分岐接続部が前記給水ヘッダー及び／又は給湯ヘッダーの隠蔽部奥に向かって複数段に配置されたことを特徴とするヘッダーユニットとした。
【００１３】
本発明の請求項６では、前記分岐接続部が前記給水ヘッダー及び／又は給湯ヘッダーの隠蔽部奥に向かって千鳥状に配置されたを特徴とする請求項５に記載のヘッダーユニットとした。
【発明の効果】
【００１４】
本発明の請求項１によれば、ヘッダーユニットにおいて、ヘッダーと水使用末端器具が直接接続されるようにしたので、ヘッダーと水使用末端器具を別々に建築躯体に施工する必要がなく、施工が簡単になるという効果がある。
さらに樹脂配管の最小曲げ半径の制限に左右されず、ヘッダーの近傍や一体的に設置することができる。
さらに、接続箇所が一カ所でよく、漏水の危険を低くすることができる。
【００１５】
また、請求項２記載の発明によれば、ヘッダーユニットがコンパクトにまとまるため小さな開口でよく、幅の狭い壁に設置しやすくなり、洗面台や収納棚と干渉することがなくなる。このため、レイアウトの自由度が増す。
【００１６】
さらに、請求項３記載の発明によれば、給水ヘッダーおよび給湯ヘッダーに接続される開閉弁と操作部を同一なものとすることができコストを低減できる。
【００１７】
さらに、請求項４記載の発明によれば、管分岐具を使用することで、開閉弁と分岐管との接続部の少なくとも１つを隠蔽部奥に向かって複数段に分岐するので、ヘッダーユニットを横方向にコンパクトにまとめることができる。
また管分岐具より上流に開閉弁を備えていることから、複数の分岐管を一度の操作で開閉することができ、それぞれの分岐管に個別に開閉弁を備えるよりもコストを低減することができる。
【００１８】
さらに、請求項５記載の発明によれば、分岐接続部が隠蔽部奥に向かって複数段に重ねて配置されているので、ヘッダーユニットを横方向にコンパクトにまとめることができる。
【００１９】
さらに、請求項６記載の発明にように、分岐接続部を千鳥状に配置すると、ヘッダーの分岐接続部への分岐管などの通水部材の着脱作業が容易になる。また、千鳥状に配置されているので、奥にある接続部分の点検を室内や屋外より目視にて容易行うことができる。
【発明を実施するための最良の形態】
【００２０】
図１〜５を使用して、ヘッダーに水使用末端器具の一形態である洗濯機用水栓が直接接続された壁設置型のヘッダーユニットについて説明する。
図１は壁面取付状態の正面外観図（操作部カバーを閉じた状態）、図２は図１で操作部カバーを開けた状態、図３は図１で前面カバーを外した状態、図４は図１のＡ−Ａ断面図、図５は図１のＢ−Ｂ断面図である。
【００２１】
まず図３において壁ボード１裏側に、給水ヘッダー２と給湯ヘッダー３が、建築躯体に設けられた当木４に取付金具５をねじ留めする事により、固定されている。このヘッダーに湯水を供給する樹脂製の給水給湯の主管６が、ワンタッチ接続方式の継手７を介して、給水ヘッダー２と給湯ヘッダー３にクイックファスナー８により、各々水密に接続されている。
この接続構造について説明する。ヘッダー２、３と継手７の接続部は双方の外周に鍔形状部を有しており、継手７をヘッダーに挿入した際に両方の鍔が当接するようになっている。ここでクイックファスナー８を取り付けることで、クイックファスナー８の二本の腕の抱え込み部が前記当接した二つの鍔部を抱え込む状態になる。こうすることにより継手７を取付状態にて回動自在に構成する事ができる。
また、トイレや台所、浴室等に設置された湯水使用末端器具に接続された樹脂製の分岐管９が、前記主管６と同様に継手７、開閉弁１０を介して、クイックファスナー８にてヘッダー２、３に回動自在に水密に接続されている。
【００２２】
ここで開閉弁１０の役割について説明する。分岐管９やその先に接続された湯水使用末端器具は、湯水使用の有無にかかわらず常時一定以上の水圧がかかった状態である。この長時間圧力がかかった状態は、分岐管９や湯水使用末端器具の劣化要因となっている。これに対し夜間や外出時等の器具不使用時に開閉弁１０を閉じる事で、下流側部材の前記負荷を軽減することができる。また、不在時に開閉弁を閉じることで、配管や湯水使用器具、その接続部から漏水が発生したにもかかわらず不在で長期間にわたり漏水が続き、住宅に大きな損害を与えるということを防止する事ができる。
【００２３】
また、給水ヘッダー２には水使用末端器具の一つである、洗濯機の給水ホースを接続するための洗濯機用水栓１１が直接、同じくクイックファスナー８により水密に接続されている。上述の他の接続は、主管６や分岐管９との接続のため施工現場にて行う必要があるが、上記洗濯機用水栓１１と給水ヘッダー２の接続はその必要がないため、工場出荷前に接続されている。この状態で上述した全ての接続部を点検することができるように、壁ボード１に長方形の開口部１７を設けている。
このようにすることで、建築躯体に影響を与えずに接続部の点検をすることができ、万一の漏水等を発見する事ができる。また、本ヘッダーユニットは壁ボード１の開口部１７にカバー１５を設けている。これは外観品位を保つことや、非点検時に住宅の使用者が操作部１３、１４を操作する際に誤って接続部を外して発生する漏水を防止することを目的としている。これについて図１、２を使用して説明する。
【００２４】
このカバー１５は、開閉弁１０と操作部１４、洗濯機用水栓１１と操作部１３を接続する接続部が貫通する、複数の穴と、洗濯機用水栓１１の吐水口部が貫通する穴と、操作部１４を隠蔽することできる蓋部１６を有している。図１は蓋部１６を閉じた（操作部１４を隠蔽した）状態、図２は蓋部１６を開いた（操作部１４を操作できる）状態の外観図である。
通常は図１のように蓋部１６を閉じた状態で、頻繁に操作する必要のある操作部１３と、常時給水ホースを接続している洗濯機用水栓１１の吐水口部のみ露出している。通常洗濯機への給水は、給水ホースを使用して接続しており（本図はホースを接続していない状態）、操作部１３を操作するだけで洗濯機への給水ができる。また、図２はカバー１５の蓋部１６を開いた状態である。本例では蓋部１６は上端部に仮固定機能付ヒンジを有しており、そのヒンジを軸として、上方に跳ね上げる形で蓋部を開け、開いた状態で仮固定できるようになっている。このため操作部１４を操作する際は、蓋部を開けた状態で操作するようになる。
【００２５】
つぎにカバー１５を取り付けた状態について図４、図５を使用して説明する。図４において、当木４に取付金具５にて固定した給湯ヘッダー３には、開閉弁１０、継手７、分岐管９の順に水密に連なって接続されている。前述したが上記接続部は壁ボード１の開口部１７内にあり、室内側より開口部１７を通して目視確認をする事ができる。また、カバー１５には穴１８が設けられており、開閉弁１０とその操作部１４との接続部が貫通している。また図５に図示しているようにカバーには、洗濯機用水栓１１の吐水口が貫通する穴２０と、洗濯機用水栓１１と操作部１３との接続部が貫通する穴１９も有している。
施工手順としては上記のように、当木４に固定された給水ヘッダー２と給湯ヘッダー３に、開閉弁１０、継手７、分岐管９、洗濯機用水栓１１を接続した後に、開口部１７を設けた壁ボード１を柱（図示せず）に固定する。その後、カバー１５を壁ボード１に固定し、穴１８を通して、操作部１４を開閉弁１０に固定する。また、穴１９を通して、操作部１３を洗濯機用水栓１１に固定する。
ここでは、開閉弁１０と給水ヘッダー２又は給湯ヘッダー３を別体としたが、一体として構成してもなんら問題ない。
【００２６】
上述のように第１の実施形態では、給水ヘッダー２と水使用末端器具の一形態である洗濯機用水栓１１とを直接接続し、施工現場へ移送する前の工場出荷前に行った。このため建築現場でのヘッダーと洗濯機用水栓の接続作業が必要なく、品質を安定させることができる。また建築躯体への施工が一度でよく、ヘッダー２、３と水栓を別々に施工する必要がなく、施工の手間を省くことができる。また樹脂配管で接続した場合のように両者を近接させるために遠回りの配管をする必要がなく、全体のコストを低減することができる。また、給水ヘッダー２と洗濯機用水栓１１との接続が一カ所でよく、漏水の可能性を低減する事ができる。
【００２７】
つぎに第２の実施形態として、給水ヘッダー及び給湯ヘッダーを上下二段にしたものについて図６〜９を用いて説明する。図６は壁面取付状態の正面外観図（操作部カバーを閉じた状態）、図７は図６で操作部カバーを開けた状態、図８は図６で前面カバーを外した状態、図９は図６のＣ−Ｃ断面図である。
【００２８】
図８に示すように、本ヘッダーユニットは、給水ヘッダー２と給湯ヘッダー３を有し、各々湯水を供給する主管６が継手７を介して、また分岐管９は開閉弁１０と継手７を介して、クイックファスナー８にてヘッダー２、３に回動自在に接続されている。さらに洗濯機用水栓１１は直接、クイックファスナー８にて給水ヘッダー２に回動自在に接続されている。このときの給水ヘッダー２と給湯ヘッダー３は躯体設置面に対して平行な同一平面内でなく、かつ躯体設置面に対して垂直な同一平面内でない位置に配置されている。このことについて図６のＣ−Ｃ断面である図９を用いて説明する。
【００２９】
図９において建築躯体に固定された二つの当木４に、取付金具１２を使用して給湯ヘッダー３が、取付金具２１を使用して給水ヘッダー２が固定されている。ここで給湯ヘッダー３は給水ヘッダー２に対して、躯体設置面である壁ボード１から見て、後方上段に位置し、上下にずらして配置されている。即ち、給湯ヘッダー３と給水ヘッダー２は躯体設置面に対して平行方向（図９の上下方向）、垂直方向（図９の左右方向）に同一平面内にない状態で固定されている。
また、固定金具２１は当木４から一定の距離をとって給水ヘッダー２を保持している。このことにより、給水ヘッダー２と当木４との間に、給湯ヘッダー３に接続された分岐管９を挿通させることができ、給水給湯共に下方に配管がされているにもかかわらず、接続されている管同士が干渉することなく設置できる。またカバー２２は給湯ヘッダー３の操作部１４の位置に合わせて、室内からみて凹形状部２４を有している。このようにすることで、給湯ヘッダー３と給水ヘッダー２に接続する、開閉弁１０と操作部１４を共通化でき、製作コストを低減することができる。
【００３０】
カバー２２も前述のカバー１５のように、給水給湯ヘッダー２、３に接続された開閉弁１０と操作部１４の接続部が貫通する穴と、洗濯機用水栓１１と操作部１３の接続部が貫通する穴と、洗濯機用水栓１１の吐水口部が貫通する穴とを有しており、室内側には前述の操作部１４を覆う蓋部２３を有している。室内側からみたカバー２２を取り付けた状態の外観図を図７（蓋部２３を開いて操作部１４を操作できる状態）、図６（蓋部２３を閉じて操作部１４を覆っている状態）に示す。図７において、カバー２２には、上段の給湯ヘッダー３に接続された開閉弁１０の操作部１４の周囲に凹形状部２４が配置されている。このため、給水ヘッダー２と給湯ヘッダー３の各々に接続する、開閉弁１０と操作部１４を共通化することができ、室内からの操作には支障がない。
【００３１】
上述のように第２の実施形態では、給水ヘッダー２と水使用末端器具の一形態である洗濯機用水栓１１とを直接接続し、施工現場へ移送する前の工場出荷前に行った。このため建築現場でのヘッダーと洗濯機用水栓の接続作業が必要なく、品質を安定させることができる。また建築躯体への施工が一度でよく、ヘッダー２、３と水栓を別々に施工する必要がなく、施工の手間を省くことができる。また樹脂配管で接続した場合のように両者を近接させるために遠回りの配管をする必要がなく、給水ヘッダー２から洗濯機用水栓１１までの接続部に開閉弁１０が不要であり、全体のコストを低減することができる。また、給水ヘッダー２と洗濯機用水栓１１との接続が一カ所でよく、漏水の可能性を低減する事ができる。
【００３２】
また、給湯ヘッダー３は給水ヘッダー２に対して、躯体設置面である壁ボード１から見て、後方上段に位置し、上下にずらして配置されている。即ち、給湯ヘッダー３と給水ヘッダー２は躯体設置面に対して平行方向（上下）、垂直方向（左右）に同一平面内にない位置で固定されているため、ヘッダーユニットの壁ボード開口部の幅を小さくすることができ、幅の狭い壁や、洗面台や収納棚を近接する場合でも問題なく設置することができる。さらにカバー２２の一部を給湯ヘッダー３の前記ずれに対応して凹形状部２４を有しているため、給水ヘッダー２と給湯ヘッダー３の各々に接続する、開閉弁１０と操作部１４を共通化することができコストを低減することができる。
【００３３】
つぎに第３の実施形態として、給水ヘッダー及び給湯ヘッダーに連なる開閉弁と、分岐管との接続部を、隠蔽部奥に向かって複数段に分岐し配置する様子を外観斜視図１０と、図１０の部分断面図１１を用いて説明する。
図１０において建築躯体に固定された当木４には、プレート５１が木ねじ５２にて固定されている。前記プレート５１上には給水ヘッダー２および、給湯ヘッダー３がそれぞれねじ留め固定されている。給水ヘッダー２には、主管６と接続され、洗濯機水栓１１を有する水栓分岐部５７が接続具５８により接続されている。さらに給水ヘッダー２は、操作部１４を有する複数の開閉弁１０に一体的に連なり、開閉弁１０の下流側には分岐接続部５４を有している。この分岐接続部５４は、分岐管９に接続された継手７と、クイックファスナー８により着脱可能に接続されている。
この接続状態において、主管６から流入する水は、給水ヘッダー２、開閉弁１０、分岐接続部５４、継手７を通り、水使用器具へ接続される分岐管９に分岐される。
このとき分岐接続部５４の一部には、二本の分岐管９に分岐するための管分岐具５９がクイックファスナー８により接続されている。
【００３４】
このことについて、断面図１１を使用して説明する。図１１において、管分岐具５９の上流側（図１１の上方）は、前述のように給水ヘッダー２の分岐接続部５４にクイックファスナー８を使用して着脱可能に接続されている。また管分岐具５９の他端には、二つの接続部５３、５３ａが設けられており、接続部５３、５３ａには各々分岐管９に接続された継手７がクイックファスナー８により着脱可能に接続されている。本例では二つの接続部５３、５３ａを壁隠蔽部奥に向かって配置している。このことにより、給水ヘッダー２の横幅を大きくすることなく、分岐管９の数を増やすことができるようになる。
【００３５】
また、接続部５３及び５３ａの上流には開閉弁１０が備わっており、開閉弁１０の操作部１４を操作して開閉弁１０を開閉することによりその下流に配置されている接続部５３及び５３ａから水使用器具へ接続される複数（二本）の分岐管９の開閉を一斉に操作することとなる。
この構造については、分岐接続部５４のうち任意のものについて適用することができ、給湯ヘッダー３についても同様で、この構造を適用することで横幅を大きくすることなく分岐管９の数を増やすことができる。
上述のように給水ヘッダー２および給湯ヘッダー３を固定した後、カバー固定具５５をプレート５１にねじ留め固定した後、操作部１４が貫通する開口部を備えるカバー２２（説明の都合上図示はしていない。）をカバー固定具５５にねじ留めする構造となっている。
【００３６】
なお、本例のように２つの分岐管９を組合せる場合は、例えば１階にキッチン、トイレ、洗面所、洗濯機、浴室、２階に洗面所、トイレがある住居では、１階のキッチンと２階の洗面所若しくは２階のトイレ、１階のトイレと２階の洗面所、１階の洗面所と２階の洗面所若しくは２階のトイレ等の組合せが望ましい。
これは、２つの分岐管９の先に接続される湯水使用器具のどちらか一方が故障し、開閉弁１０を閉止した場合でも、家の中に代替する湯水使用器具があるという規則に基づく。
即ち、逆に洗濯機や浴室など他に代替する湯水使用機器が無いものは、それぞれの分岐管に個別に開閉弁を備えることが望ましいといえる。
また、１階のトイレと２階のトイレを組合せるといったように、住居内に代替する湯水使用機器が無くなってしまうような組合せ方も避けなければならないが、洗面所についてはキッチンや浴室で代替が可能である。
また、本例ではヘッダー２、３と開閉弁１０とを分岐接続部５４で分離しない一部材として製作しているが、この構造に限定されるものではなく、分岐接続部５４にて分離する複数の部材として製作してもなんら問題はない。
【００３７】
つぎに第４の実施形態として、壁面に埋め込まれて設置された、ヘッダーから分岐する分岐接続部が千鳥状になっているヘッダーユニットについて、図１２〜１５を使用して説明する。
図１３は正面外観図、図１２はカバー１５を外した状態の正面外観図、図１５は図１２のＤ−Ｄ断面図、図１４は図１２のＥ−Ｅ断面図である。
図１２において、壁ボード１の開口部に、給水ヘッダー２と給湯ヘッダー３が、前述の例と同様に当木に固定されたプレート５１にねじ留め固定されている。給水ヘッダー２、給湯ヘッダー３には湯水が供給される主管６が接続されており、複数備えられている分岐通路６０には各々操作部１４を有する開閉弁１０が配置され、その下流には分岐接続部５４が備えられている。この分岐接続部５４は分岐管９に接続された継手７と、クイックファスナー８により着脱可能に接続されている。また給水ヘッダー２の一端には、洗濯機用水栓１１が接続されている。またカバー１５を固定するカバー固定穴６１が、給水ヘッダー２と給湯ヘッダー３に設けられている。
次に図１４において、給湯ヘッダー３の分岐前の主通水部５６は壁奥行方向に長くなっており、壁の奥行方向にずらした状態で主管６の接続部や、分岐接続部５４を配置している。このヘッダー２、３の、主管６との接続部や分岐接続部５４は、主通水路５６に設けられた開口６２から通水部材により鉛直下方に設けられており、この開口６２は図１５のように隠蔽部奥に向かって二段（複数段）で、しかも上面から見て千鳥状に配置されている。また、壁ボード１の開口部にはカバー１５がカバー固定穴６１にねじ留め固定される。この状態が図１３になる。なお、各開閉弁１０の操作部１４は全てカバー１５に設けられた開口部より突出している。
【００３８】
以上のように分岐接続部５４を隠蔽部奥に向かって二段（複数段）で、しかも上面から見て千鳥状に配置されているので、クイックファスナー８の着脱を含めた分岐接続部５４の施工、メンテナンスの必要な作業空間（図１５での隣接する開口６２間の距離）を確保したうえで、ヘッダー２、３の横幅をより小さく構成することができる。  
また、分岐接続部５４と継手７との着脱作業や作業後の点検を容易に行うことができ、さらに分岐接続部５４の直近に設けられた開閉弁１０から操作部１４をカバー１５に突出して容易に設けることもできる。
【産業上の利用可能性】
【００３９】
本件発明は、供給される湯水を建築物内で分岐するヘッダーと湯水使用端末器具を有するヘッダーユニットに利用可能性がある。
【図面の簡単な説明】
【００４０】
【図１】本発明の第1実施形態を示す正面図である。
【図２】本発明の第1実施形態を示す正面図である。
【図３】本発明の第1実施形態を示す正面図である。
【図４】本発明の第1実施形態を示す断面図である。
【図５】本発明の第1実施形態を示す断面図である。
【図６】本発明の第２実施形態を示す正面図である。
【図７】本発明の第２実施形態を示す正面図である。
【図８】本発明の第２実施形態を示す正面図である。
【図９】本発明の第２実施形態を示す断面図である。
【図１０】本発明の第３実施形態を示す斜視図である。
【図１１】本発明の第３実施形態を示す断面図である。
【図１２】本発明の第４実施形態を示す正面図である。
【図１３】本発明の第４実施形態を示す正面図である。
【図１４】本発明の第４実施形態を示す断面図である。
【図１５】本発明の第４実施形態を示す断面図である。
【符号の説明】
【００４１】
１…壁ボード
２…給水ヘッダー
３…給湯ヘッダー
４…当木
５…取付金具
６…主管
７…継手
８…クイックファスナー
９…分岐管
１０…開閉弁
１１…洗濯機用水栓
１２…取付金具
１３…操作部
１４…操作部
１５…カバー
１６…蓋部
１７…開口部
１８…穴
１９…穴
２０…穴
２１…取付金具
２２…カバー
２３…蓋部
２４…凹形状部
５１…プレート
５２…木ねじ
５３、５３ａ…接続部
５４…分岐接続部
５５…カバー固定具
５６…主通水部
５７…水栓分岐部
５８…接続具
５９…管分岐具
６０…分岐通路
６１…カバー固定穴
６２…開口
【図１】
2005098089.tif 000003
【図２】
2005098089.tif 000004
【図３】
2005098089.tif 000005
【図４】
2005098089.tif 000006
【図５】
2005098089.tif 000007
【図６】
2005098089.tif 000008
【図７】
2005098089.tif 000009
【図８】
2005098089.tif 000010
【図９】
2005098089.tif 000011
【図１０】
2005098089.tif 000012
【図１１】
2005098089.tif 000013
【図１２】
2005098089.tif 000014
【図１３】
2005098089.tif 000015
【図１４】
2005098089.tif 000016
【図１５】
2005098089.tif 000017